(57)【要約】  現地計測装置を校正する度量衡システムは、現地デバイスに連結する現地計測装置を含む。計測装置は、現地デバイスに関連した物理的計測に対応する計測信号を生成するように構成される。計測信号は、未処理データストリームを定義する。システムはまた、常駐補正アルゴリズムを有する伝達関数モジュールを含む移動式校正デバイスを含む。移動式校正デバイスはまた、その上に常駐する計測装置に関連した校正標準データを含む校正標準データモジュールを含む。移動式校正デバイスは、計測装置との双方向通信を確立し、計測装置を校正モードへ移すことを容易にし、未処理データストリームを計測装置から受信し、未処理データストリームを伝達関数モジュールに送信し、現地計測装置を校正するように、構成される。伝達関数モジュールは、補正アルゴリズムによる差異データストリームを生成するように構成される。【選択図】図３
2018503806.tif 000002
【特許請求の範囲】
【請求項１】
現地計測装置（２１０）を校正するための度量衡システム（２００）であって、
現地デバイス（２７０）に連結した現地計測装置（２１０）であって、前記現地計測装置（２１０）は、計測の予め定められた範囲の中で前記現地デバイス（２７０）に関連した物理的計測に対応する計測信号を生成するように構成され、前記計測信号は、未処理データストリーム（３１１）を定義する、現地計測装置（２１０）と、
移動式校正デバイス（２２０）であって、
その上に常駐する補正アルゴリズムを含む伝達関数モジュール（２５８）と、
その上に常駐する前記現地計測装置（２１０）に関連した校正標準データを含む校正標準データモジュール（２５６）であって、前記移動式校正デバイス（２２０）が、
前記現地計測装置（２１０）との双方向通信（２５２）を確立し、
前記現地計測装置（２１０）を校正モードへ移すことを容易にし、
前記現地計測装置（２１０）から前記未処理データストリーム（３１１）を受信し、
前記未処理データストリーム（３１１）を前記伝達関数モジュール（２５８）に送信し、前記伝達関数モジュール（２５８）は、前記補正アルゴリズムによって、差異データストリーム（４１３）を生成するように構成され、
前記現地計測装置（２１０）を校正する
ように構成された、校正標準データモジュール（２５６）と
を含む移動式校正デバイス（２２０）と
を含む、度量衡システム（２００）。
【請求項２】
前記移動式校正デバイス（２２０）が、少なくとも１つのプロセッサ（１１５）と前記少なくとも１つのプロセッサ（１１５）に連結されたメモリ装置（１１０）とを含むコンピューティング装置（１０５）をさらに含み、前記少なくとも１つのプロセッサ（１１５）が、
前記現地計測装置（２１０）は遠隔作業現場の近くの前記移動式校正デバイス（２２０）によって、校正することができないということと、
前記現地計測装置（２１０）は遠隔作業現場の近くの前記移動式校正デバイス（２２０）によって、校正できるということと
のうち１つを決定するように構成された、請求項１記載の度量衡システム（２００）。
【請求項３】
前記少なくとも１つのプロセッサ（１１５）が、前記現地計測装置（２１０）を校正できる場所を決定するようにさらに構成された、請求項２記載の度量衡システム（２００）。
【請求項４】
前記現地計測装置（２１０）が、読出し専用メモリ（ＲＯＭ）デバイス（２９７）を含み、前記ＲＯＭデバイス（２９７）は、その中に前記現地計測装置（２１０）に関連した校正計測補正データを含み、前記移動式校正デバイス（２２０）が、前記ＲＯＭデバイス（２９７）に記憶した前記校正計測補正データの少なくとも一部を修正するようにさらに構成された、請求項１記載の度量衡システム（２００）。
【請求項５】
遠隔校正システム（２４０）をさらに含み、前記移動式校正デバイス（２２０）が、前記遠隔校正システム（２４０）との双方向通信を確立するようにさらに構成され、前記遠隔校正システム（２４０）は、前記補正アルゴリズムおよび前記校正標準データの少なくとも一部を記憶するように構成され、前記移動式校正デバイス（２２０）が、前記現地計測装置（２１０）に関連したデータを前記遠隔校正システム（２４０）からダウンロードし、また前記現地計測装置（２１０）に関連したデータを前記遠隔校正システム（２４０）にアップロードするようにさらに構成された、請求項１記載の度量衡システム（２００）。
【請求項６】
前記移動式校正デバイス（２２０）が、前記補正アルゴリズムを修正し、また前記校正標準データの少なくとも一部を修正するようにさらに構成された、請求項１記載の度量衡システム（２００）。
【請求項７】
前記移動式校正デバイス（２２０）が、ラップトップコンピュータ、スマートフォン、タブレット型コンピュータおよびパーソナル携帯情報機器（ＰＤＡ）のうち１つを含む携帯用デバイスを含む、請求項１記載の度量衡システム（２００）。
【請求項８】
前記移動式校正デバイス（２２０）が、校正コンポーネント（２２６）を含み、前記校正コンポーネントがその中に前記現地計測装置（２１０）に関連した校正計測補正データを含み、前記移動式校正デバイス（２２０）が、前記未処理データストリーム（３１１）の少なくとも一部を修正して、補正した計測データを生成するようにさらに構成された、請求項１記載の度量衡システム（２００）。
【請求項９】
遠隔校正システム（２４０）をさらに含み、前記遠隔校正システム（２４０）は校正コンポーネント（２４６）を含み、前記校正コンポーネントはその中に前記現地計測装置（２１０）に関連した校正計測補正データを含み、前記遠隔校正システム（２４０）は、前記未処理データストリーム（３１１）の少なくとも一部を修正して、補正した計測データを生成するようにさらに構成された、請求項１記載の度量衡システム（２００）。
【発明の詳細な説明】
【技術分野】
【０００１】
本願は、計測装置校正のためのシステムと方法に関する。
【背景技術】
【０００２】
本開示の分野は、概して計測装置に関し、より詳しくは、移動式校正デバイスを使用して現地計測装置をオンサイトで校正するためのシステムおよび方法に関する。
【０００３】
通常、現地計測装置は、関連する計測ポイントの近くの運用施設の中に配置される。例えば、位置計測デバイスは、工業施設の中でプロセスの動作を制御するために用いる、関連した移動可能な機器の近くに置かれる。このような現地計測装置は、その装置が正確で精密な計測表示を生成するための校正仕様の範囲内にとどまっていることを確かめるために、定期的な校正チェックを必要とする。このような装置は、指定された正確度および精度許容バンドの中に出力表示を戻す随時の校正を必要とする場合がある。
【０００４】
現地計測装置のための多くの知られている校正サービスは、関連する装置を、サービスから取り外して、物理的に設置施設から取り外して、通常は校正施設からはかなりの距離がある集中化した校正施設に送ることが必要である。従って、現地計測装置が校正施設に向かうルートにあり、そしてその校正施設に置かれ、そしてそこから送り返される間、関連する現地計測装置は「使用不可である」とみなされる。現地計測装置が使用不可である期間は、２、３日から数週間までの範囲である。使用不可の現地計測装置に関連したプロセスのオペレータには関連装置が使用不可である期間の間のいくつかの選択があり、例えば、プロセスを終了するか、既存のインストールされた予備に依存するか、装置を完成予備部品に置き換えるか、または、単に関連計測無しで操作する。加えて、オペレータは、装置を取り除き、出荷しそして再設置する労力に関連したコスト、出荷コスト、および関連プロセスをシャットダウンすることに関連したあらゆる収益の損失も負担する。
【０００５】
現地計測装置の特定の様式およびモデルだけで使用可能であり得る専門校正機器を有する現地では、他の知られている校正サービスが実行される。この校正機器は、校正施設外で点検され、遠隔の現地サイトに送られ、そして現地サイトに戻入されることを必要とする。また、多くのこのような校正機器は、現地サイトに出荷されることを必要とする。さらに、校正機器の多くの各様式およびモデルは、複数の現地サイトをサポートするために手近にあることを必要とする。さらに、校正機器は、その校正を周期的なベースで検査する必要がある。
【先行技術文献】
【特許文献】
【０００６】
【特許文献１】欧州特許出願公開第２２８０２４９号明細書
【発明の概要】
【０００７】
１つの態様では、現地計測装置を校正する度量衡システムが提供される。システムは、現地デバイスに連結する現地計測装置を含む。現地計測装置は、計測の予め定められた範囲の中で現地デバイスに関連した物理的計測に対応する計測信号を生成するように構成される。計測信号は、未処理データストリームを定義する。システムはまた、その上に常駐する補正アルゴリズムを含む伝達関数モジュールを含む移動式校正デバイスおよび、その上に常駐する現地計測装置に関連する校正標準データを含む校正標準データモジュールを含む。移動式校正デバイスは、現地計測装置との双方向通信を確立し、現地計測装置を校正モードに移すことを容易にし、現地計測装置から未処理データストリームを受信し、未処理データストリームを伝達関数モジュールに送信し、現地計測装置を校正するように、構成される。伝達関数モジュールは、補正アルゴリズムによる差異データストリームを生成するように構成される。
【０００８】
別の態様においては、現地計測装置の校正状態を決定する方法が提供される。方法は、移動式校正デバイスを介した現地計測装置との双方向通信を確立して、予め定められた物理的移動の範囲にわたって現地計測装置を動かすことを含む。方法はまた、物理的移動に対応する計測信号を生成することを含み、ここで、計測信号は未処理データストリームを定義する。方法は、未処理データストリームを、現地計測装置から移動式校正デバイス内の伝達関数モジュールまで送信することをさらに含む。方法はまた、伝達関数モジュール内に常駐する第１の補正アルゴリズムから差異信号を決定して、現地計測装置を校正することを含む。
【０００９】
本開示のこれらの、そしてまた他の、特徴、態様および利点は、同様の文字が図面の全体にわたって同様の部品を表す添付の図面を参照して読むと、よりよく理解される。
【図面の簡単な説明】
【００１０】
【図１】例示のコンピューティング装置のブロック図である。
【図２】図１に示されるコンピューティング装置を含むことができる現地計測装置を校正するための例示のシステムのブロック図である。
【図３】現地計測装置を校正するための図２に示されるシステムのブロック図である。
【図４】図２および図３に示されるシステムにより校正されることができる、例示の計測装置のブロック図である。
【図５】図２および図３に示されるシステムを用いて図２、図３および図４に示す計測装置に対する初期校正データ収集の例示の方法のためのフローチャートである。
【図６】図２および図３に示されるシステムを使用して、図４に示される計測装置を校正する例示的な方法のためのフローチャートである。
【発明を実施するための形態】
【００１１】
特に明記しない限り、本明細書に提供されている図面は、本開示の実施形態の特徴を説明するためのものである。これらの特徴は、本開示の１つまたは複数の実施形態を含む多種多様なシステムで適用できると信じられる。このように、図面は、本明細書において開示される実施形態の実行のために必要とされる当業者に知られている全ての従来の特徴を含むというものではない。
【００１２】
以下の仕様および請求項において、多くの用語への参照がなされ、それは以下の意味を有するものとして定義される。
【００１３】
文脈上で別に明示していない限り、単数形の「１つの（ａ）」、「１つの（ａｎ）」および「その（ｔｈｅ）」は、複数への言及を含む。
【００１４】
「任意の（ｏｐｔｉｏｎａｌ）」、または、「任意に（ｏｐｔｉｏｎａｌｌｙ）」は、その後記載されているイベントまたは状況が発生する場合があるかまたは発生しない場合もあり、またその記述は、そのイベントが発生する例およびイベントが発生しない例を含む、ということを意味するものである。
【００１５】
本明細書と請求項の全体にわたって本明細書で用いられる近似的な言い回しは、それが関連のある基本機能の変化に結果としてならずに、差し支えなく変化し得るあらゆる定量的表現を修飾するために、適用できる。従って、「ほぼ（ａｂｏｕｔ）」、「およそ（ａｐｐｒｏｘｉｍａｔｅｌｙ）」および「実質的に（ｓｕｂｓｔａｎｔｉａｌｌｙ）」などの用語または複数の用語により修飾された値は、指定された精密な値に限定するものではない。少なくともいくつかの例では、近似的な言い回しは、値を計測するための計測器の精度に対応できる。本明細書、そして、本仕様と請求項の全体にわたって、範囲限定は組み合わせることができて、かつ／または交換することができて、このような範囲は識別されて、前後関係または言語が別に示さない限り、そこにおいて含まれる全てのサブレンジを含む。
【００１６】
本明細書において使用する場合、「プロセッサ」および「コンピュータ」および関連用語、例えば「処理装置」、「コンピューティング装置」および「コントローラ」などの用語は、当技術分野でコンピュータと呼ばれる集積回路に限定するものではなく、マイクロコントローラ、マイクロコンピュータ、プログラマブルロジックコントローラ（ＰＬＣ）および特定用途向け集積回路および他のプログラマブル回路を広く指しており、これらの用語が本明細書において交換可能に使われる。本明細書において記載されている実施形態において、メモリは、限定するものではないが、ランダムアクセスメモリ（ＲＡＭ）等のコンピュータ可読媒体、フラッシュメモリなどのコンピュータ可読の不揮発性媒体を含むことができる。あるいは、フロッピーディスク、コンパクトディスク読出し専用メモリ（ＣＤ−ＲＯＭ）、磁気光学ディスク（ＭＯＤ）および／またはデジタル多用途ディスク（ＤＶＤ）も使用され得る。また、本明細書において記載されている実施形態において、付加的な入力チャネルが、限定するものではないが、マウスおよびキーボードなどのオペレータインタフェースに関連したコンピュータ周辺機器であってもよい。あるいは、限定するものではないが、例えばスキャナを含み得る他のコンピュータ周辺機器を使用してもよい。さらにまた、本例示の実施形態においては、付加的な出力チャネルが、限定するものではないが、オペレータインタフェースモニタを含んでもよい。
【００１７】
さらに、本明細書において使用する場合、「ソフトウェア」および「ファームウェア」という用語は交換可能であり、パーソナルコンピュータ、ワークステーション、クライアントおよびサーバによって、実行するためのメモリ内のあらゆるコンピュータプログラム記憶を含む。
【００１８】
本明細書において使用する場合、「非一時的コンピュータ可読媒体」という用語は、コンピュータ可読命令、データ構造、プログラムモジュールおよびサブモジュール、または任意のデバイス内のその他のデータなどの、情報の短期および長期の記憶のための技術の任意の方法において、実装される、任意の有形のコンピュータベースのデバイスを表すことを意図している。従って、本明細書において記載されている方法は、限定するものではないが、記憶装置および／またはメモリ装置を含む、有形の、非一時的コンピュータ可読媒体で具体化される実行可能命令として、コード化することができる。このような命令は、プロセッサにより実行されると、本明細書において記載されている少なくとも一部の方法をプロセッサに実行させる。さらに、本明細書において使用する場合、「非一時的コンピュータ可読媒体」という用語は、全ての有形の、コンピュータ可読媒体を含み、コンピュータ可読媒体としては、限定するものではないが、非一時的コンピュータ記憶装置を含んでおり、その中には、一時的な、伝搬信号であるものを唯一の例外として、揮発性および不揮発性の媒体、ならびに、ファームウェア、物理的および仮想の記憶、ＣＤ−ＲＯＭ、ＤＶＤ、ネットワークまたはインターネットなどのあらゆる他のデジタルソースなどの着脱可能および着脱不可能媒体だけではなく、今後開発されるデジタル手段も含むが、これに限定するものではない。
【００１９】
さらにまた、本明細書において使用する場合、「リアルタイム」という用語は、関連するイベントの発生の時間、予め定められたデータの計測および収集の時間、データを処理する時間およびイベントおよび環境に対するシステム応答の時間のうち少なくとも１つを指す。本明細書において記載されている実施形態において、これらの動作およびイベントは、実質的に即座に発生する。
【００２０】
本明細書において使用する場合、「計測装置校正施設」というフレーズは、実質的に全部の様式およびモデルの計測装置を校正する施設を意味する。このような「計測装置校正施設」は、通常は遠隔に位置して、現地計測装置が通常用いられる地域とは離れている。
【００２１】
本明細書において使用する場合、「現地」および「オンサイト」という用語および「現地サイト」などの関連用語は、計測装置校正施設外のいかなる領域も指す。特に、このような用語は、計測装置校正施設から予め定められた距離にある、現地計測装置が使用される場所に近い地域を指す。このような予め定められた距離は、数十から数百マイルの範囲である。さらに、本明細書において使用する場合、「オフサイト」という用語および関連用語は計測装置校正施設を指す。
【００２２】
後述する度量衡システムおよび方法は、現地計測装置を校正する費用効率の良い方法を提供する。詳しくは、本明細書において記載されている実施形態を利用して、現地計測装置は、移動式校正デバイスを使用してオンサイトで校正される。現地計測装置をオンサイトで校正することは、現地計測装置がサービスに使えなくなり、設置場所から物理的に移動されて、校正施設から通常はかなりの距離にある、集中化された校正施設に送られてしまうという可能性を減らす。従って、関連する現地計測装置が「使用不可である」とみなされる期間は、著しく減らされる。加えて、装置を取り外して、出荷して、再び設置するための作業に関連するコスト、出荷コスト、そして、関連するプロセスをシャットダウンすることに関連したいかなる収益の損失も、著しく減らされる。さらにまた、現地計測装置の特定の様式およびモデルだけでしか使用できず、また校正が必要となる専門校正機器に対する依存は、著しく減らされる。さらに、後述する度量衡システムおよび方法は、各計測装置がそれ自身の履歴を有するように、クラウドにより媒介されるものを含むネットワークベースのストレージによるデータの記憶、およびデータ転送を容易にする。
【００２３】
図１は、本明細書で開示される実施形態において用いることが可能である例示的なコンピューティング装置１０５のブロック図である。より詳しくは、コンピューティング装置１０５は、限定するものではないが、オンサイトで現地計測装置（図１に示さず）を校正するのを容易にする。コンピューティング装置１０５は、メモリ装置１１０および命令を実行するためにメモリ装置１１０に動作的に連結されたプロセッサ１１５を含む。いくつかの実施形態では、実行可能命令は、メモリ装置１１０に記憶される。コンピューティング装置１０５は、プロセッサ１１５をプログラミングすることによって、本明細書に記載されている１つまたは複数の動作を実行するように構成可能である。例えば、１つまたは複数の実行可能命令として動作をコード化して、メモリ装置１１０に実行可能命令を提供することによって、プロセッサ１１５は、プログラムすることができる。本実施形態では、メモリ装置１１０は、実行可能命令および／または他のデータなどの情報の記憶および検索を有効にする１つまたは複数のデバイスである。メモリ装置１１０は、１つまたは複数のコンピュータ可読媒体を含むことができる。
【００２４】
メモリ装置１１０は、限定するものではないが、計測情報、計測したデータ、確立した校正データ、位置データ、時間データ、正確度データ、補正アルゴリズム、校正の場所、計測情報の収集方法に関する命令、および他のあらゆるタイプのデータ、のうちの１つまたは複数を含む動作計測を記憶するように構成できる。また、メモリ装置１１０は、現地計測装置をオンサイトで校正して、校正される特定の現地計測装置の場所を決定するのを容易にするために、充分なデータ、アルゴリズムおよびコマンドを含むが、これに限定するものではない。
【００２５】
いくつかの実施形態では、コンピューティング装置１０５はまた、プロセッサ１１５に連結するプレゼンテーションインタフェース１２０を含む。プレゼンテーションインタフェース１２０は、ユーザインタフェースなどの情報をオペレータまたはユーザ１２５に示す。いくつかの実施形態では、プレゼンテーションインタフェース１２０は、１つまたは複数のディスプレイ装置を含む。いくつかの実施形態では、プレゼンテーションインタフェース１２０は、現地計測装置に関する校正詳細を提示する。また、いくつかの実施形態では、コンピューティング装置１０５は、ユーザインタフェース１３０を含む。本例示の実施形態では、ユーザ入力インタフェース１３０は、プロセッサ１１５およびユーザ１２５から受信した入力に連結する。
【００２６】
通信インタフェース１３５はプロセッサ１１５に連結され、別のコンピューティング装置１０５などの１つまたは複数の他のデバイスと通信で連結して、入力チャネルとして動作すると共に、このようなデバイスに関しては入出力動作を実行するように構成される。通信インタフェース１３５は、１つまたは複数の遠隔デバイスからのデータの受信および／またはそれに対するデータの送信を行うことができる。例えば、１台のコンピューティング装置１０５の通信インタフェース１３５は、補正アルゴリズムを別のコンピューティング装置１０５の通信インタフェース１３５に送信できる。いくつかの実施形態では、通信インタフェース１３５は無線インタフェースである。いくつかの実施形態では、通信インタフェース１３５は、Ｂｌｕｅｔｏｏｔｈ（登録商標）またはＺ−Ｗａｖｅ（登録商標）などのショートレンジ無線通信プロトコルによって、ＩＥＥＥ（米国電気電子学会）８０２．１１標準（すなわち、ＷｉＦｉ）に従って実装された無線ローカルエリアネットワーク（ＷＬＡＮ）によって、および／または携帯電話（すなわち、セルラ）ネットワーク（例えば、モバイル通信用グローバルシステム（ＧＳＭ（登録商標））、３Ｇ、４Ｇ）もしくは他のモバイルデータネットワーク（例えば、Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ（ＷＩＭＡＸ）、もしくは配線接続（すなわち、電気信号を伝送するための１つまたは複数の導体）によって、通信を有効にするように、構成される。通信インタフェース１３５がコンピューティング装置１０５を１つまたは複数の現地計測装置に連結する実施形態において、通信インタフェース１３５は、例えば、現地計測装置におよび／またはそれから電気信号および／または電力を伝送するための１つまたは複数の導体を含むことができる。
【００２７】
図２は、コンピューティング装置（図１に示す）を含むことができる計測装置校正の例示的な度量衡システム２００のブロック図である。度量衡システム２００は、ネットワーク２３０を介して全てが互いに通信を行う、現地計測装置２１０、移動式校正デバイス２２０、データ記憶装置２３２、遠隔校正システム、すなわち、オフサイト校正システム２４０を含む。ネットワーク２３０は、限定するものではないが、１つまたは複数のローカルエリアネットワーク（ＬＡＮ）、広域ネットワーク（ＷＡＮ）、インターネット、クラウド環境に置かれたサーバ、および商用または私設の携帯電話ネットワークのうち、１つまたは複数を含む。ネットワーク２３０は、クラウド化される。本明細書において記載されている度量衡システム２００の動作を有効にする任意の数の現地計測装置２１０、移動式校正デバイス２２０、データ記憶装置２３２およびオフサイト校正システム２４０が、度量衡システム２００で使用される。
【００２８】
データ記憶装置２３２は、現地計測装置２１０、移動式校正デバイス２２０およびオフサイト校正システム２４０に関連したデータを記憶する。このようなデータは、限定するものではないが、現地計測装置２１０の様式、型番およびシリアルナンバ、計測情報、計測したデータ、標準校正データ、位置データ、時間データ、場所データ、正確度データ、校正の場所、補正アルゴリズム、計測情報を集める方法についての命令、および本明細書において記載されている度量衡システム２００の動作を有効にする任意の他のタイプのデータのうち、１つまたは複数を含む。データ記憶装置２３２は、それに関連して記憶される項目の１つまたは複数に対して、検索可能である。加えて、単一の独立コンポーネントとして例示するが、データ記憶装置２３２は、いくつかの実施形態において、複数の記憶装置、例えばデータベースクラスタであり、それの一部は、移動式校正デバイス２２０、オフサイト校正システム２４０、別の外部コンピューティング装置１０５（図１に示すように）およびそれらの任意の組合せに関連して存在できる。
【００２９】
計測情報は、計測したデータおよび確立した校正データを含む。例えば、計測したデータは、現地計測装置２１０および移動式校正デバイス２２０により採取されるあらゆる計測であり、例えば、限定するものではないが、物理的位置、装置場所、計測出力、例えばミリアンペア（ｍＡ）および時間、すなわち実時間データおよび履歴データなどである。確立した校正データは、例えば、正確な計測としてすでに定義されているあらゆる計測であり、例えば、限定するものではないが、相手先ブランド製造会社の（ＯＥＭの）校正標準、標準計測装置を使用して記録された実測データ、例えば、限定しないが校正ブロックおよび視覚的／物理的検証ならびに履歴データである。
【００３０】
現地計測装置２１０は、校正できるあらゆる計測装置であり、限定するものではないが、マイクロメータ、トルクレンチ、ダイヤルインジケータ、テーパーゲージ、デジタルカリパスおよび光学的、誘導的、容量性、磁性および抵抗性技術の少なくとも１つに基づく、ラジアルおよびリニアエンコーダなどである。現地計測装置２１０は、各種のモード、例えば、限定するものではないが、現地計測装置２１０の校正を容易にする校正モードおよび、サービスに入れられるときの、現地計測装置２１０のための通常動作モードである計測モードなどを含む。現地計測装置２１０は、受信コンポーネント２１２および出力コンポーネント２１４を含む。受信コンポーネント２１２は、移動式校正デバイス２２０から、そして、移動式校正デバイス２２０を介してデータ記憶装置２３２およびオフサイト校正システム２４０から情報を受信する。情報受信コンポーネント２２２は、例えば、限定するものではないが、現地計測装置２１０を校正することに関連した更新された校正標準データおよび校正計測補正データを受信する。出力コンポーネント２１４は、情報を移動式校正デバイス２２０およびデータ記憶装置２３２に送信し、また移動式校正デバイス２２０を介してオフサイト校正システム２４０に送信する。情報出力コンポーネント２１４は、限定するものではないが、現地計測装置２１０の様式、型番およびシリアルナンバ、計測情報、計測したデータ、標準校正データ、位置データ、時間データ、場所データ、正確度データおよび現地計測装置２１０を校正することに関連する他のあらゆるタイプのデータのうち、１つまたは複数を送信する。
【００３１】
いくつかの実施形態では、現地計測装置２１０とデータ記憶２３２とオフサイト校正システム２４０間の双方向通信の全範囲は、ネットワーク２３０への現地計測装置２１０の直接通信リンクによって、可能となる。また、いくつかの実施形態では、現地計測装置２１０は、ネットワーク２３０を介してリソースと通信してリアルタイムの未処理データの遠隔補正を可能とし、それによって、より精密および正確なリアルタイム計測が装置２１０から送信される。さらに、いくつかの実施形態では、現地計測装置２１０は、未処理データのリアルタイムの自己補正を有効にするために充分なハードウェアおよびソフトウェアリソースを含み、それによって、より精密および正確なリアルタイム計測がそこから送信される。
【００３２】
本例示の実施形態では、移動式校正デバイス２２０は、オンサイトで現地計測装置２１０を校正する。また、移動式校正デバイス２２０は、現地計測装置２１０がオンサイトで校正されることができるかまたはオフサイトでの校正を必要とするか否かについて決定することを容易にする。さらにまた、移動式校正デバイス２２０は、校正される現地計測装置２１０のための特定のオフサイトの場所を決定することを容易にする。
【００３３】
いくつかの実施形態では、移動式校正デバイス２２０は、例えば限定するものではないが、ユニバーサルシリアルバス（ＵＳＢ）ケーブルなどのへその緒型のデバイスを介して、現地計測装置２１０に物理的に接続している。他の実施形態において、移動式校正デバイス２２０は、現地計測装置２１０と無線で通信する。移動式校正デバイス２２０は、ラップトップコンピュータ、スマートフォン、タブレット型コンピュータおよびパーソナル携帯情報機器（ＰＤＡ）の１つを含む携帯用デバイスを含むがこれに限らず、任意のモバイル機器である。また、いくつかの実施形態では、移動式校正デバイス２２０は、半永久的なリソースとして現地計測装置２１０の近くに維持されて、リアルタイムの未処理データのローカル補正を容易にし、それによって、より精密および正確なリアルタイム計測が装置２１０から送信されるが、ここで「半永久的」という用語は、デバイス２２０を比較的簡単に別のものと置き換えることを指している。
【００３４】
移動式校正デバイス２２０は、コンピューティング装置１０５（図１に示す）などのコンピューティング装置である。一般に、移動式校正デバイス２２０は、受信コンポーネント２２２、決定コンポーネント２２４、校正コンポーネント２２６、出力コンポーネント２２７、ディスプレイコンポーネント２２８およびオーディオコンポーネント２２９を含む。例示の実施形態では、移動式校正デバイス２２０は、１つの物理的場所で受信コンポーネント２２２、決定コンポーネント２２４、校正コンポーネント２２６、出力コンポーネント２２７、ディスプレイコンポーネント２２８およびオーディオコンポーネント２２９を含む単一デバイスである。他の実施形態において、移動式校正デバイス２２０は、コンポーネントが２つ以上の別々の場所で２つ以上の別々のデバイス全体に広げられるように、受信コンポーネント２２２、決定コンポーネント２２４、校正コンポーネント２２６、出力コンポーネント２２７、ディスプレイコンポーネント２２８およびオーディオコンポーネント２２９の組合せの仮想アセンブリである。各コンポーネントは、さらに以下で記載されている。
【００３５】
移動式校正デバイス２２０の受信コンポーネント２２２は、限定するものではないが、現地計測装置２１０、データ記憶装置２３２およびオフサイト校正システム２４０から情報を受信する。情報受信コンポーネント２２２は、限定するものではないが、現地計測装置２１０の様式、型番およびシリアルナンバ、計測情報、計測したデータ、標準校正データ、位置データ、時間データ、場所データ、正確度データおよび現地計測装置２１０を校正することに関連する他のあらゆるタイプのデータの、１つまたは複数を含むデータを受信する。
【００３６】
決定コンポーネント２２４は、受信コンポーネント２２２により受信される情報を分析して、限定するものではないが、計測したデータを確立した校正データと比較することに基づいて、現地計測装置２１０が校正されることができる特定の場所および場所のタイプの１つまたは複数を決定する。計測したデータと確立した校正データの間の比較に基づいて、決定コンポーネント２２４は、計測したデータが予め定められた限界によって、確立した校正データから逸脱する場合、校正が必要であると、決定する。校正が必要である場合、さらに下で述べられように、決定コンポーネント２２４は校正コンポーネント２２６と通信して現地計測装置２１０を校正する。決定コンポーネント２２４は、現地計測装置２１０の校正をオンサイトで行うことができると決定する。あるいは、決定コンポーネント２２４は、現地計測装置２１０の校正をオンサイトで行うことができないと決定する。決定コンポーネント２２４は、現地計測装置２１０の校正をオンサイトで行うことができない場合、どのような情報が支援および分析のためのオフサイト校正システム２４０に送信されなければならないかについて、決定する。
【００３７】
校正コンポーネント２２６は、受信コンポーネント２２２により受信される情報を分析し、適切な１つまたは複数の補正アルゴリズム（さらに下で述べられる）を使用して、現地計測装置２１０を校正するために適用する。あるいは、現地計測装置２１０からの未処理計測データは、校正コンポーネント２２６に送信されて、それによりデータが補正されて、移動式校正デバイス２２０から直接に、現地計測装置２１０または他の任意のインジケータに送信される。
【００３８】
出力コンポーネント２２７は、情報をオフサイト校正システム２４０に送信する。例えば、オフサイト校正システム２４０が現地計測装置２１０の校正を容易にするように、出力コンポーネント２２７は計測したデータおよび更新された校正標準データをオフサイト校正システム２４０に送信する。さらに、出力コンポーネント２２７はまた、ディスプレイコンポーネント２２８およびオーディオコンポーネント２２９に、ユーザに示される情報を送信する。出力コンポーネント２２７がディスプレイコンポーネント２２８およびオーディオコンポーネント２２９に送信する情報は、限定するものではないが、現地計測装置２１０をオンサイトで校正できるという表示、現地計測装置２１０をオンサイトで校正することができないという表示、現地計測装置２１０を校正できる場所のタイプ、現地計測装置２１０を校正できる特定の計測装置校正施設および現地計測装置２１０が首尾よく校正されたという表示のうち、１つまたは複数を含む。ディスプレイコンポーネント２２８は、テキストメッセージ、電子メールまたは他の任意の視覚的アラートなどの情報の視覚表示を提供する。オーディオコンポーネント２２９は、音声メッセージまたは他の任意の音声アラートなどの音声情報を提供する。
【００３９】
加えて、出力コンポーネント２２７は、ユーザに現地計測装置２１０から計測情報を取得するための必要な指示を提供する。例えば、いくつかの実施形態では、出力コンポーネント２２７は、ユーザが校正されたコンポーネントに対して現地計測装置２１０を使用するために指示を提供し、それにより現地計測装置２１０によってなされる計測が計測したデータと関連付けられ、校正されたコンポーネントの計測は確立した校正データと関連付けられる。
【００４０】
オフサイト校正システム２４０は、限定するものではないが、オンサイトで現地計測装置２１０を校正すること、現地計測装置２１０を校正できる場所のタイプを決定すること、および現地計測装置２１０を校正するための計測装置校正施設などの特定の場所を決定することの、１つまたは複数で、移動式校正デバイス２２０を支援する。オフサイト校正システム２４０は、図１を参照して記載されているコンピューティング装置１０５などの、コンピューティング装置を含む。通常、オフサイト校正システム２４０は、受信コンポーネント２４２、決定コンポーネント２４４、校正コンポーネント２４６および出力コンポーネント２４８を含む。いくつかの実施形態では、オフサイト校正システム２４０は、計測装置校正施設に置かれる。他の実施形態において、オフサイト校正システム２４０は、計測装置校正施設と分かれている。加えて、いくつかの実施形態では、オフサイト校正システム２４０は、コンポーネントが２つ以上の別々のデバイス上の２つ以上の場所全体に広げられるように、受信コンポーネント２４２、決定コンポーネント２４４、校正コンポーネント２４６および出力コンポーネント２４８の組合せの仮想アセンブリである。
【００４１】
いくつかの実施形態では、オフサイト校正システム２４０は、移動式校正デバイス２２０が現地計測装置２１０の校正のために適用する必要な補正アルゴリズムを有していないときに、移動式校正デバイス２２０を支援する。例えば、いくつかの実施形態では、オフサイト校正システム２４０は、移動式校正デバイス２２０が利用できない１つまたは複数の補正アルゴリズムにアクセスする。他の実施形態において、オフサイト校正システム２４０は、移動式校正デバイス２２０が、現地計測装置２１０が校正を必要とするか否か決定することができないときに、移動式校正デバイス２２０を支援する。
【００４２】
いくつかの実施形態では、現地計測装置２１０とオフサイト校正システム２４０間の双方向通信の全範囲は、ネットワーク２３０への現地計測装置２１０の直接通信リンクによって、有効にされる。また、いくつかの実施形態では、現地計測装置２１０は、より精密および正確なリアルタイム計測が装置２１０から送信されるように、ネットワーク２３０を介してオフサイト校正システム２４０の範囲内のリソースに通信してリアルタイムの未処理データのリアルタイム遠隔補正を有効にする。
【００４３】
オフサイト校正システム２４０の受信コンポーネント２４２は、例えば、限定するものではないが、移動式校正デバイス２２０およびデータ記憶デバイス２３２から情報を受信する。情報受信コンポーネント２４２は、限定するものではないが、現地計測装置２１０の様式、型番およびシリアルナンバ、計測情報、計測したデータ、標準校正データ、位置データ、時間データ、場所データ、正確度データおよび現地計測装置２１０を校正することに関連する他のあらゆるタイプのデータの、１つまたは複数を含むデータを受信する。
【００４４】
決定コンポーネント２４４は、受信コンポーネント２４２により受信される情報を分析して、限定するものではないが、計測したデータを確立した校正データと比較することに基づいて、現地計測装置２１０が校正されることができる計測装置校正施設などの特定の場所および場所のタイプの１つまたは複数を決定する。計測したデータと確立した校正データの間の比較に基づいて、決定コンポーネント２４４は、計測したデータが予め定められた限界によって確立した校正データから逸脱する場合、校正が必要であると決定する。校正が必要である場合、さらに下で述べられるように、決定コンポーネント２４４は校正コンポーネント２４６と通信して現地計測装置２１０を校正する。決定コンポーネント２４４は、現地計測装置２１０の校正をオンサイトで行うことができることを決定する。あるいは、決定コンポーネント２４４は、現地計測装置２１０の校正をオンサイトで行うことができないということを決定する。現地計測装置２１０の校正をオンサイトで行うことができない場合、決定コンポーネント２４４は、どのような情報が支援および分析のためにオフサイト校正システム２４０の他の任意の部分に送信されなければならないかについて、決定する。
【００４５】
校正コンポーネント２４６は、受信コンポーネント２４２により受信される情報を分析し、適切な１つまたは複数の補正アルゴリズム（さらに下で述べられる）を使用して、現地計測装置２１０を校正するために適用する。あるいは、現地計測装置２１０からの未処理計測データは、校正コンポーネント２４６に送信されて、それによりデータが補正されて、移動式校正デバイス２４０から直接に、現地計測装置２１０または他の任意のインジケータに送信される。
【００４６】
図３は、現地計測装置２１０を校正するための度量衡システム２００のブロック図である。例示の実施形態では、移動式校正デバイス２２０は受信コンポーネント２２２および出力コンポーネント２２７（両方とも図２に示す）を含む携帯用可搬デバイスであり、ローカル双方向通信リンク２５０ならびに、それぞれ、移動式校正デバイス２２０とネットワーク２３０の間の、そして、ネットワーク２３０とオフサイト校正システム２４０の間の、外部双方向通信リンク２５２および２５４の確立を容易にする。いくつかの実施形態では、現地計測装置２１０は、現地計測装置２１０とネットワーク２３０の間の外部双方向通信リンク２５５を確立するように構成される。
【００４７】
また、例示の実施形態においては、移動式校正デバイス２２０は、決定コンポーネント２２４および校正コンポーネント２２６（両方とも図２に示す）の動作を有効にする複数のソフトウェアおよびハードウェアモジュールを含む。移動式校正デバイス２２０は、各現地計測装置２１０に関連したデータを記憶するように構成された、校正標準データモジュール２５６を含む。校正標準データモジュール２５６内に記憶されるこのようなデータは、計測したデータおよび確立した校正データを含んだ、上述の計測情報を含む。例えば、計測したデータは、限定するものではないが、現地計測装置２１０および移動式校正デバイス２２０により採取される、物理的位置、装置場所、計測出力、例えばミリアンペア（ｍＡ）および時間などの、あらゆる計測を含む。確立した校正データはすでに、例えば、正確な計測としてすでに定義されているあらゆる計測であり、例えば、限定するものではないが、相手先ブランド製造会社の（ＯＥＭの）校正標準、標準計測装置を使用して記録された実測データ、例えば、限定しないが校正ブロックおよび視覚的／物理的検証ならびに履歴データである。加えて、このようなデータは、限定するものではないが、現地計測装置２１０の様式、型番およびシリアルナンバならびに、現地計測装置２１０を校正することに関連した他のあらゆるタイプのデータの、１つまたは複数を含む。
【００４８】
さらに、例示の実施形態においては、移動式校正デバイス２２０は、その上に常駐する少なくとも１つの補正アルゴリズム（さらに以下で述べる）を含む伝達関数モジュール２５８を含む。伝達関数モジュール２５８は、校正標準データモジュール２５６に常駐するデータおよび、いくつかの実施形態ではネットワーク２３０を介して受信したデータに、少なくとも部分的に由来する補正アルゴリズムに対する、リアルタイムの現地計測装置２１０から集められる校正データとの間の差異を判定するように構成される。
【００４９】
さらに、移動式校正デバイス２２０のいくつかの実施形態で、デバイス２２０は、現地計測装置２１０から集められる未処理計測データを受信して記憶する、オプションの未処理データ記憶モジュール２６０を含む。
【００５０】
図４は、移動式校正デバイス２２０（図２および３に示す）で校正できる、現地計測装置２１０のブロック図である。本例示の実施形態では、現地計測装置２１０は、実質的に線形手法で作動するように構成された現地制御デバイス２７０に連結する磁気リニアエンコーダである。あるいは、現地計測装置２１０および現地制御デバイス２７０は、本明細書において記載するように、度量衡システム２００の動作を有効にするあらゆる装置およびデバイスであり、限定するものではないが、回転磁気エンコーダおよび回転制御デバイス、例えば限定はしないがギア付きドライブユニットを含む。
【００５１】
本例示の実施形態では、現地制御デバイス２７０は本明細書において記載されている現地制御デバイス２７０の動作を有効にする任意のタイプのアクチュエータであるアクチュエータドライブ２７２を含み、限定するものではないが、ギア付きキャリッジドライブ、定速度モータおよび可変速度ドライブ（ＶＳＤ）を含む。現地制御デバイス２７０はまた、アクチュエータドライブ２７２に連結するアクチュエータロッド２７４を含む。現地制御デバイス２７０は、機械式カプラ２７８を介してアクチュエータロッド２７４に連結するリニアゲートデバイス２７６をさらに含む。リニアゲートデバイス２７６は、流体導管２８０内に配置されて、リニアゲートデバイス２７６の線形位置の関数として、導管２８０による流体流動を制御するように構成される。動作において、それぞれ、双方向矢印２８２および２８４により示されるように、アクチュエータドライブ２７２にアクチュエータロッド２７４の移動によるリニアゲートデバイス２７６の位置を制御させる制御システム（図示せず）から、アクチュエータドライブ２７２は操作コマンドを受信する。それぞれ、リニアゲートデバイス２７６およびアクチュエータロッド２７４の移動の全範囲は、双方向矢印２８６および２８８で示される。デバイス２７６およびロッド２７４のための移動の全範囲は実質的に同様であり、すなわち、例示的実施形態ではほぼ４インチ（ｉｎ）（１１．１２センチメートル（ｃｍ））である。図４に示すように、リニアゲートデバイス２７６は、完全に閉じている。
【００５２】
また、本例示の実施形態においては、現地計測装置２１０は、磁気センサがロッド２７４とともに動くようにアクチュエータロッド２７４に固定的に連結する、磁気センサ２９０を含む磁気リニアエンコーダである。現地計測装置２１０はまた、その上に所定間隔によって配置した複数の永久磁石（図示せず）を含む、静止磁気バンド２９２を含む。磁気バンド２９２は、磁気センサ２９０の移動経路付近に配置する。動作において、アクチュエータロッド２７４が右に移動してまたリニアゲートデバイス２７６が開くにつれて、磁気センサ２９０は右に移動して、磁気バンド２９２の永久磁石を検出する。磁気センサ２９０は、出力信号ケーブル２９４を介して磁気センサ２９０から送信されるアナログ位置信号２９３を生成する。あるいは、本明細書において記載されている現地計測装置２１０の動作を有効にするいかなる無線技術によっても、アナログ位置信号２９３は、送信される。アナログ位置信号２９３は、付随する制御システムにより受信されて、計測器２９６によるアナログゲージ２９５に送信される。あるいは、アナログゲージ２９５よりはむしろ、数値表示が使われる。
【００５３】
本例示の実施形態では、磁気バンド２９２は、０インチ（０ｃｍ）で０％、１インチ（２．５４ｃｍ）で２５％、２インチ（５．０６ｃｍ）で５０％、３インチ（７．５９ｃｍ）で７５％および４インチ（１１．１２ｃｍ）で１００％の、実際のポジション値により示される。０％、２５％、５０％、７５％、および１００％に対応する電流出力は、それぞれ、４ｍＡ、８ｍＡ、１２ｍＡ、１６ｍＡおよび２０ｍＡである。ゲージ２９５は、０％、２５％、５０％、７５％、および１００％に等しい標識を有する。
【００５４】
図３を再び参照すると、本例示の実施形態において、現地計測装置２１０は、制御されているシステムに実質的に固定されたデバイスである。受信コンポーネント２１２および出力コンポーネント２１４（両方とも図２に示す）は、移動式校正デバイス２２０と現地計測装置２１０の間にローカル双方向通信リンク２５０の確立を容易にする。本実施形態では、現地計測装置２１０も充分な読出し専用メモリ（ＲＯＭ）リソース（すなわち、ファームウェア２９７）を含み、そのため現地計測装置２１０に関連した最も後に更新された校正標準データがその上に常駐している。この校正標準データは、移動式校正デバイス２２０により更新されることができる。あるいは、現地計測装置２１０は充分なＲＯＭリソースを含むだけにして、例えば、そして、限定するものではないが、様式およびシリアルナンバデータなどの装置情報を維持するだけである。
【００５５】
図５は、度量衡システム２００（図２および図３に示す）を使用している現地計測装置２１０（図２、図３および図４に示す）のための初期校正データ収集の典型的な方法３００のためのフローチャートである。方法３００の目的は、確立した校正標準データの初期の、すなわち、ベースラインの繰返しを生成することであり、ここで、このような確立した校正標準データが現地計測装置２１０の校正のための基準として使われる。また、このような確立した校正標準データは、初期伝達関数（すなわち、補正アルゴリズム）を生成するために用いる。さらにまた、移動式校正デバイス２２０およびオフサイト校正システム２４０（両方とも図２および図３に示す）の範囲内で、確立した校正標準データおよび補正アルゴリズムは記憶される。方法３００は、現地計測装置２１０の近くの移動式校正デバイス２２０で現地において実行される。あるいは、方法３００はオフサイトの校正施設で実行される。そして、少なくとも部分的にオフサイト校正システム２４０を使用する。また、あるいは、双方向通信リンク２５２、２５４および２５５（図３に示される全て）は、さらに下で述べられる決定および算出のうちのいくつかまたは全てのためのオフサイト校正システム２４０を使用するのを容易にする。
【００５６】
確立した校正標準データは、移動式校正デバイス２２０に３０２でアップロードされる。このような確立した校正標準データは、例えば、正確な計測としてすでに定義されるいかなる計測も含み、それは例えば、限定するものではないが、ＯＥＭ校正標準、標準計測装置を用いて記録された実測データ、例えば、限定はしないが、校正ブロックおよび視覚的／物理的な検証ならびに記録された履歴データなどである。このような確立した校正データの生成は、現地かまたはオフサイトの校正施設で実行できる。
【００５７】
通信は、３０４において現地計測装置２１０および移動式校正デバイス２２０の間で確立される。本例示の実施形態では、移動式校正デバイス２２０は、現地計測装置２１０と無線で通信する。あるいは、移動式校正デバイス２２０は、へその緒型デバイス、例えば、限定するものではないが、ＵＳＢケーブルを介して現地計測装置２１０に物理的に接続される。現地計測装置２１０に、物理的に接続している。現地計測装置２１０のファームウェア２９７（図３に示す）は、３０６で「校正モード」に設定される。
【００５８】
現地計測装置２１０は、移動の全計測範囲、すなわち、０％〜１００％、０インチ〜４インチおよび４ｍＡ〜２０ｍＡにわたって、３０８において手動で複数回動かされる。オペレータによって、または、専門移動デバイス（すなわち、磁気センサ２９０に連結するジグ（図示せず）によって、磁気バンド２９２（両方とも図４に示す）に関する磁気センサ２９０のこのような移動は、比較的遅くて安定した手動の動きにより実行される。現地計測装置２１０の遅くて安定した移動は、移動の範囲の全体にわたってアナログ信号を生成するが、このような方法は、移動の全範囲２８８（図４に示す）に沿って別々のポイントに磁気センサ２９０を移動することとは対照的である。あるいは、一組の校正ブロック（図示せず）が、移動の全範囲２８８に沿って予め定められたポイントで磁気バンド２９２を位置決めするのを容易にするために用いられる。
【００５９】
未処理データ３０９（図３に示す）は、磁気センサ２９０から出力信号ケーブル２９４を介して、未処理出力信号データストリーム３１１（図３に示す）として、３１０で移動式校正デバイス２２０に送信される。未処理データ記憶モジュール２６０（図３に示す）は、現地計測装置２１０から集められる出力信号データストリーム３１１を受信して、記憶する。未処理出力信号データストリーム３１１の収集に加えて、オペレータは、磁気センサ２９０の位置の実際の物理的計測を、例えば、限定するものではないが、磁気バンド２９２上の校正ブロックおよび検査された標識を用いて、移動の全範囲２８８にわたって移動される際に、３１２において手動で記録する。いくつかの実施形態では、現地計測装置２１０の手動で記録された実際の物理的計測は、手動で確立した校正標準データモジュール２５６に３１４で入力され、確立した校正標準データモジュール２５６に記憶された既存の標準データと、３１６でマージされる。いくつかの実施形態では、３１４において手動で入力された現地計測装置２１０の手動で記録された実際の物理的計測は、確立した校正標準データモジュール２５６に入力される第１のデータであり、唯一の既存の標準データになる。
【００６０】
初期未処理出力データストリーム３１７は、未処理データ記憶モジュール２６０から確立した校正標準データモジュール２５６に送信され、未処理出力データストリーム３１７は、確立した校正標準データモジュール２５６内の確立した校正標準データと３１８で比較される。未処理出力データストリーム３１７と確立した校正標準データの差異を表す初期計測差異データストリーム３１９は、３２０で生成され、初期計測差異データストリーム３１９は、３２２で伝達関数モジュール２５８に送信される。
【００６１】
初期伝達関数、すなわち、初期計測差異データストリーム３１９に基づく補正アルゴズムは、３２４で伝達関数モジュール２５８において、生成される。補正アルゴリズムは、現地計測装置２１０の条件が時間とともに変化する際に、更新された校正標準データを生成するために調整可能である係数を含み、それによって、現地計測装置２１０の校正の調整を容易にする。補正アルゴリズムは、線形であっても非線形であってもよい。
【００６２】
図６は、度量衡システム２００（図２および図３に示す）を使用している現地計測装置２１０（図２、図３および図４に示す）を校正する例示的な方法４００のためのフローチャートである。方法４００の目的は、現地計測装置２１０の日常的な校正チェックおよび、必要である場合、再校正を容易にすることである。具体的には、確立した校正標準データおよび補正アルゴリズムは、移動式校正デバイス２２０およびオフサイト校正システム２４０（両方とも図２およびウ３に示す）の範囲内に記憶される。方法４００は、現地計測装置２１０の近くの移動式校正デバイス２２０により       現地で実行される。あるいは、方法４００は、オフサイトの校正施設で、少なくとも部分的にオフサイト校正システム２４０を使用して実行される。また、あるいは、双方向通信リンク２５２、２５４および２５５（全て図３に示す）は、さらに下で述べられる決定および計算のうちのいくつかまたは全てのためにオフサイト校正システム２４０を使用することを容易にする。
【００６３】
通信は、４０２で、現地計測装置２１０と移動式校正デバイス２２０の間で確立される。本例示の実施形態では、移動式校正デバイス２２０は、現地計測装置２１０と無線で通信する。あるいは、移動式校正デバイス２２０は、例えば、限定するものではないが、ＵＳＢケーブルなどのへその緒型デバイスによって、現地計測装置２１０に物理的に接続される。現地計測装置２１０のファームウェア２９７（図３に示す）は、４０４で「校正モード」に設定される。
【００６４】
現地計測装置２１０は、移動の全計測範囲、すなわち、０％〜１００％、０インチ〜４インチおよび４ｍＡ〜２０ｍＡにわたって、４０６において手動で複数回動かされる。磁気バンド２９２に関する磁気センサ２９０（両方とも図４に示す）のこのような移動は、オペレータによって、または、専門移動デバイス、すなわち、磁気センサ２９０に連結するジグ（図示せず）によって、比較的遅くて安定した手動の動きにより実行される。現地計測装置２１０の遅くて安定した移動は、移動の範囲の全体にわたってのアナログ信号を生成するが、このような方法は、移動の全範囲２８８（図４に示す）に沿って別々のポイントに磁気センサ２９０を移動することとは対照的である。あるいは、一組の校正ブロック（図示せず）が、移動の全範囲２８８に沿って予め定められたポイントで磁気バンド２９２を位置決めすることを容易にするために用いられる。
【００６５】
未処理データ３０９（図３に示す）は、出力信号ケーブル２９４によって、磁気センサ２９０から、未処理出力信号データストリーム３１１（図３に示す）として、移動式校正デバイス２２０に４０８で送信される。未処理データ記憶モジュール２６０（図３に示す）は、現地計測装置２１０から集められる出力信号データストリーム３１１を受信して、記憶する。未処理出力信号データストリーム３１１の収集に加えて、任意のステップとして、オペレータは、磁気センサ２９０の位置の実際の物理的計測を、例えば、限定するものではないが、磁気バンド２９２上の校正ブロックおよび検査された標識を用いて、移動の全範囲２８８にわたって移動される際に、４１０において手動で記録する。いくつかの実施形態では、現地計測装置２１０の手動で記録された実際の物理的計測は、確立した校正標準データモジュール２５６に３１４で手動で入力され、確立した校正標準データモジュール２５６に記憶された既存の標準データと、３１６でマージされる。他の実施形態において、現地計測装置２１０の手動で記録された実際の物理的計測は、後日参照するために記憶されることができる、付加的なスタンドアロンデータとして、保持される。
【００６６】
未処理出力信号データストリーム３１１は、４１２で伝達関数モジュール２５８に送信され、そこにおいて、データストリーム３１１が補正アルゴリズムによって、導かれて、４１４で計測差異データストリーム４１３（図３に示す）を生成して、未処理計測出力データストリーム３１１が確立したパラメータの範囲内であるか否か決定する。計測差異データストリーム４１３のための確立した閾値は、それぞれの現地計測装置２１０のための所定レベルの精度に基づく。
【００６７】
計測差異データストリーム４１３が確立したパラメータの範囲内である場合、現地計測装置２１０は校正仕様の範囲内であり、オペレータは通信リンク２５０を遮断して、もうそれ以上の措置は取られない。記録の計測が生成され、それは記憶され、そして、それが現地計測装置２１０の校正の傾向を見直す次の作業を容易にする。
【００６８】
計測差異データストリーム４１３が確立したパラメータの範囲内でない場合、すなわちそれは現地計測装置２１０が校正仕様の範囲内でなく、再校正が必要とされる。このようなとき、２つの異なる措置が実行される可能性があり、それはすなわち、確立した校正標準データおよび補正アルゴリズムのどちらかまたは両方とも、ということである。一般に、取られる措置は、差異の理由、差異の詳細および装置の詳細に実質的に依存する。
【００６９】
従って、オペレータは、オペレータの裁量での情報に基づいて、どの措置を取るべきかについて決定することで、おそらく役割を果たす。例えば、磁気バンド２９２上の永久磁石間の間隔は変化しそうになく、従って、この条件は、おそらく差異の可能性がある理由の中からは除外されることになる。しかしながら、現地計測装置２１０からの計測表示は温度依存性がある場合があり、標準データは温度依存に対して調整することを必要とする可能性があり、そして、補正アルゴリズムはおそらく更新する必要はない。また、アクチュエータドライブ２７２は機械式カプラ２７８を引っ張るアクチュエータロッド２７４に長さ方向の力を加え、そして、機械式カプラ２７８でアクチュエータロッド２７４とリニアゲートデバイス２７６の間に小量のゆるみが拡がる。
【００７０】
データ差異に対する可能性のある原因を判断するために、オペレータは、方法ステップ４１０で記録された実際の物理データを検討して、校正標準データの最新版と比較する。記録された物理データが標準データの近くにあり、すなわち、いかなる差異も閾値パラメータの範囲内であり、校正標準データが変化したと考えられる理由がなく、また物理的計測データは装置が変化しなかったことを示す場合は、補正アルゴリズムは４１６で、アルゴリズムの係数を調整して更新されることを必要とする場合がある。
【００７１】
あるいは、記録された物理データが閾値パラメータの範囲内でない場合、装置２１０は物理的変化を経験した可能性があり、確立した校正標準データは更新することが必要となる。計測差異データストリーム４１３は、４１８で伝達関数モジュール２５８から確立した校正標準データモジュール２５６に送信される。計測差異データストリーム４１３は、確立した校正標準データモジュール２５６の確立したデータに４２０でマージされる。更新された確立した校正標準データが４２２で生成され、すなわち、記録の計測が生成される。確立した校正標準データが一旦更新されると、補正アルゴリズムがそれに応じて４２４で更新される。
【００７２】
本例示の実施形態では、現地計測装置２１０の校正は４２６で完了し、そして、現地計測装置２１０のファームウェア２９７は「計測モード」に設定される。
【００７３】
本明細書において用いられるように、現地計測装置２１０は、校正されると決定され、すなわち、計測データ、つまり計測器２９６およびアナログゲージ２９５へのアナログ信号２９３で、確立した校正標準の範囲内のこのような計測データを送信し、それによって、現地制御デバイス２７０のオペレータは、自分達が利用できる表示の精度と正確度を確信する。装置２１０のこのような校正は、多くの方法およびメカニズムの少なくとも１つにより達成される。
【００７４】
本例示の実施形態では、校正計測補正データストリーム４２５は、現地計測装置２１０のファームウェア２９７に送信される。校正計測補正データ４２５は、限定するものではないが、未処理データ３０９を補正してアナログゲージ２９５上の流体導管２８０の範囲内でより正確かつ精密にリニアゲートデバイス２７６の位置を示すのを容易にするソフトウェアベースの補正モジュール（図示せず）において実装される、補正アルゴリズムまたはルックアップテーブルの形である。いくつかの実施形態では、更新された確立した校正標準データはまた、記憶のため現地計測装置２１０に送信される。また、実施形態のいくつかで、このような補正モジュールは、未処理データ３０９の補正が予め定められたパラメータ範囲外の補正率を必要とする場合、潜在的な計測問題の表示がオペレータ１２５に示されるように、オペレータ１２５への通知を生成するように構成される。
【００７５】
いくつかの別の実施形態において、移動式校正デバイス２２０は、ローカル通信リンク２５０ならびに外部通信リンク２５２および２５５（ネットワーク２３０経由）のいずれか一方または両方を介して、現地計測装置２１０と実質的に恒常的な通信をしている状態で維持される。このような別の実施形態において、限定するものではないが、ソフトウェアベースの補正モジュール（図示せず）において、実装される、補正アルゴリズムまたはルックアップテーブルの形である校正計測補正データ４２５は、移動式校正デバイス２２０内に常駐であり、それにより未処理データ３０９は、アナログゲージ２９５上の流体導管２８０内のリニアゲートデバイス２７６の位置をより正確かつ精密に示すために補正される。このような補正した計測データは、移動式校正デバイス２２０から直接に、または、現地計測装置２１０を介して、計測器２９６およびゲージ２９５に送信される。また、これらの別の実施形態のいくつかで、このような補正モジュールは、未処理データ３０９の補正が予め定められたパラメータ範囲外の補正率を必要とする場合、潜在的な計測問題の表示がオペレータ１２５に示されるように、オペレータ１２５への通知を生成するように構成される。
【００７６】
いくつかの他の別の実施形態において、オフサイト校正システム２４０は、外部通信リンク２５４および２５５（ネットワーク２３０経由）を介して現地計測装置２１０と実質的に恒常的な通信をしている状態で維持される。このような別の実施形態は、移動式校正デバイス２２０が現地計測デバイス２１０のすぐ近くにとどまらない場合に役立つ。このような別の実施形態では、限定するものではないが、ソフトウェアベースの補正モジュール（図示せず）に実装された補正アルゴリズムまたはルックアップテーブルの形の、校正計測補正データ４２５は、オフサイト校正システム２４０の範囲内で常駐であり、それにより未処理データ３０９が、アナログゲージ２９５上の流体導管２８０の範囲内でより正確かつ精密にリニアゲートデバイス２７６の位置を示すように補正される。このような補正した計測データは、移動式校正デバイス２２０によって、オフサイト校正システム２４０から直接に、または、現地計測装置２１０を介して計測器２９６およびゲージ２９５に送信される。また、これらの別の実施形態のいくつかで、このような補正モジュールは、未処理データ３０９の補正が予め定められたパラメータ範囲外の補正率を必要とする場合、潜在的な計測問題の表示がオペレータ１２５に示されるように、オペレータ１２５への通知を生成するように構成される。
【００７７】
ある条件下では、移動式校正デバイス２２０のオペレータは、現地計測装置２１０がスタンドアロン方式で移動式校正デバイス２２０を使用して校正されることができない、と（決定コンポーネント２２４（図２に示す）によって）決定できる。１つの考え得る理由は、装置２１０に、移動式校正デバイス２２０またはオフサイト校正システム２４０による校正が軽減することができない物理的な欠陥があるということである。従って、移動式校正デバイス２２０は、オフサイト校正システム２４０と通信して、それぞれの現地計測装置２１０がどの校正施設に送られなければならないか決定するのを容易にして、それを出荷する方法の指示を出す。
【００７８】
また、ある条件下では、移動式校正デバイス２２０は、現地計測装置を校正するために置換補正アルゴリズムまたは置換確立校正標準データが必要であるということを（決定コンポーネント２２４によって）決定して、ディスプレイコンポーネント２２８（図２に示す）を介してオペレータに知らせることができる。さらに、必要な措置を実行するためのオペレータに対する指示も出される。移動式校正デバイス２２０は、オフサイト校正システム２４０と通信し、適切な置換補正アルゴリズムおよび標準データを読み出し、それにより、サイトから現地計測装置２１０を取り外さずにオンサイトでの校正動作を続けることができる。
【００７９】
さらに、ある条件下では、移動式校正デバイス２２０は、オフサイト校正システム２４０との協議の有無にかかわらず、オンサイトで集められた未処理データが支援および分析のためにオフサイト校正システム２４０に送信されなければならないと、（決定コンポーネント２２４によって）決定する。
【００８０】
さらに、ある条件下では、現地計測デバイス２１０の物理的特性は、変更が必要となる場合がある。このような変更は、限定するものではないが、止めねじを位置決めして、ポテンショメータが電圧を変えるように調整して、移動停止装置を置き換えて、ドライブ歯車比を変えることを含む。
【００８１】
上述の校正システムおよび方法は、現地計測装置を校正する費用効果のある方法を提供する。詳しくは、本明細書において記載されている実施形態を利用して、現地計測装置は、移動式校正デバイスを使用してオンサイトで校正される。現地計測装置をオンサイトで校正することは、現地計測装置がサービスに使えなくなり、設置場所から物理的に移動されて、校正施設から通常はかなりの距離にある、集中化された校正施設に送られてしまうという可能性を減らす。従って、関連する現地計測装置が「使用不可である」とみなされる期間は、著しく減らされる。加えて、装置を取り外して、出荷して、再び設置するための作業に関連するコスト、出荷コスト、そして、関連するプロセスをシャットダウンすることに関連したいかなる収益の損失も、著しく減らされる。さらにまた、現地計測装置の特定の様式およびモデルだけでしか使用できず、また校正が必要となる専門校正機器に対する依存は、著しく減らされる。さらに、後述する度量衡システムおよび方法は、各計測装置がそれ自身の履歴を有するように、クラウドにより媒介されるものを含むネットワークベースのストレージによるデータの記憶、およびデータ転送を容易にする。
【００８２】
本明細書において記載されている方法および装置の典型的な技術的な効果は、以下の少なくとも１つを含む。（ａ）現地における現地計測装置の信頼性、精度および正確度の拡大。（ｂ）現地における計測装置の可用性の拡大。（ｃ）現地計測装置の性能およびトラッキングの改善。（ｄ）現地における計測装置利用度の増大。（ｅ）計測信頼性の増大。（ｆ）リモートサイトのために必要とされる完成予備部品現地計測装置の数量の削減。（ｇ）現地計測装置が使用不可である時間の減少による時間の節約。
【００８３】
現地計測装置をオンサイトで校正して、現地計測装置の校正の場所を決定して、計測装置が校正されることができる場所のタイプを決定するための方法およびシステムの例示的実施形態は、本明細書において記載されている特定の実施形態に限られておらず、むしろ、システムのコンポーネントおよび／または方法のステップは、本明細書において記載されている他のコンポーネントおよび／またはステップとは独立に別々に利用できる。例えば、本方法は、他のオンサイト校正装置と組み合わせて用いて現地計測装置の校正の場所を決定することもでき、１つのオンサイト校正装置だけでの実行に限られているわけではない。むしろ、例示的実施形態は、現地計測装置をオンサイトで校正して、現地計測装置の校正の場所を決定して、現地計測装置が校正されることができる場所のタイプを決定することから利益を得ることができる、多くの他の応用製品、機器およびシステムと接続して実装し、利用できる。
【００８４】
本開示の各種実施形態の特定の特徴が図面のうちのいくつかで示され、他の図面では示されない場合があるが、これは単に便宜上のものである。本開示の原則に従って、いかなる図面のいかなる特徴も、他のいかなる図面のいかなる特徴とも組み合わせて参照および／または請求され得る。
【００８５】
いくつかの実施形態は、１つまたは複数の電子またはコンピューティング装置の使用を含む。このような装置は通常、汎用中央演算処理装置（ＣＰＵ）、グラフィック処理装置（ＧＰＵ）、マイクロコントローラ、縮小命令セットコンピュータ（ＲＩＳＣ）プロセッサ、特定用途向け集積回路（ＡＳＩＣ）、プログラマブル論理回路（ＰＬＣ）および／または本明細書において記載されている機能を実行できる他のあらゆる回路またはプロセッサなどの、プロセッサまたはコントローラを含む。本明細書において記載されている方法は、限定するものではないが、記憶装置および／またはメモリ装置を含むコンピュータ可読媒体で具体化される実行可能命令として、コード化することができる。このような命令は、プロセッサにより実行されると、プロセッサに本明細書において記載されている方法の少なくとも一部を実行させる。上記の例は、例示的なものでしかなく、従ってプロセッサという用語の定義および／または意味を限定することを一切意図していない。
【００８６】
この書かれた記述は、実施例を用いて、最良の形態を含んで実施形態を開示して、また、いかなる当業者も、任意のデバイスまたはシステムを製作し使用して、そして、任意の統合された方法を実行することを含んで、実施形態を実践できるようにする。本開示の特許され得る範囲は、請求項により定義されて、当業者に見出される他の実施例を含むことができる。このような他の実施例は、それらが本明細書請求項の文字通りの言語と異ならない構成要素を有する場合、または、それらが本明細書請求項の文字通りの言語と実質的な違いのない等価な構成要素を含む場合、本明細書請求項の範囲内であることを意図している。
【００８７】
最後に、代表的な実施態様を以下に示す。
［実施態様１］
現地計測装置（２１０）を校正するための度量衡システム（２００）であって、
現地デバイス（２７０）に連結した現地計測装置（２１０）であって、前記現地計測装置（２１０）は、計測の予め定められた範囲の中で前記現地デバイス（２７０）に関連した物理的計測に対応する計測信号を生成するように構成され、前記計測信号は、未処理データストリーム（３１１）を定義する、現地計測装置（２１０）と、
移動式校正デバイス（２２０）であって、
その上に常駐する補正アルゴリズムを含む伝達関数モジュール（２５８）と、
その上に常駐する前記現地計測装置（２１０）に関連した校正標準データを含む校正標準データモジュール（２５６）であって、前記移動式校正デバイス（２２０）が、
前記現地計測装置（２１０）との双方向通信（２５２）を確立し、
前記現地計測装置（２１０）を校正モードへ移すことを容易にし、
前記現地計測装置（２１０）から前記未処理データストリーム（３１１）を受信し、
前記未処理データストリーム（３１１）を前記伝達関数モジュール（２５８）に送信し、前記伝達関数モジュール（２５８）は、前記補正アルゴリズムによって、差異データストリーム（４１３）を生成するように構成され、
前記現地計測装置（２１０）を校正する
ように構成された、校正標準データモジュール（２５６）と
を含む移動式校正デバイス（２２０）と
を含む、度量衡システム（２００）。
［実施態様２］
前記移動式校正デバイス（２２０）が、少なくとも１つのプロセッサ（１１５）と前記少なくとも１つのプロセッサ（１１５）に連結されたメモリ装置（１１０）とを含むコンピューティング装置（１０５）をさらに含み、前記少なくとも１つのプロセッサ（１１５）が、
前記現地計測装置（２１０）は遠隔作業現場の近くの前記移動式校正デバイス（２２０）によって、校正することができないということと、
前記現地計測装置（２１０）は遠隔作業現場の近くの前記移動式校正デバイス（２２０）によって、校正できるということと
のうち１つを決定するように構成された、実施態様１記載の度量衡システム（２００）。
［実施態様３］
前記少なくとも１つのプロセッサ（１１５）が、前記現地計測装置（２１０）を校正できる場所を決定するようにさらに構成された、実施態様２記載の度量衡システム（２００）。
［実施態様４］
前記現地計測装置（２１０）が、読出し専用メモリ（ＲＯＭ）デバイス（２９７）を含み、前記ＲＯＭデバイス（２９７）は、その中に前記現地計測装置（２１０）に関連した校正計測補正データを含み、前記移動式校正デバイス（２２０）が、前記ＲＯＭデバイス（２９７）に記憶した前記校正計測補正データの少なくとも一部を修正するようにさらに構成された、実施態様１記載の度量衡システム（２００）。
［実施態様５］
遠隔校正システム（２４０）をさらに含み、前記移動式校正デバイス（２２０）が、前記遠隔校正システム（２４０）との双方向通信を確立するようにさらに構成され、前記遠隔校正システム（２４０）は、前記補正アルゴリズムおよび前記校正標準データの少なくとも一部を記憶するように構成され、前記移動式校正デバイス（２２０）が、前記現地計測装置（２１０）に関連したデータを前記遠隔校正システム（２４０）からダウンロードし、また前記現地計測装置（２１０）に関連したデータを前記遠隔校正システム（２４０）にアップロードするようにさらに構成された、実施態様１記載の度量衡システム（２００）。
［実施態様６］
前記移動式校正デバイス（２２０）が、前記補正アルゴリズムを修正し、また前記校正標準データの少なくとも一部を修正するようにさらに構成された、実施態様１記載の度量衡システム（２００）。
［実施態様７］
前記移動式校正デバイス（２２０）が、ラップトップコンピュータ、スマートフォン、タブレット型コンピュータおよびパーソナル携帯情報機器（ＰＤＡ）のうち１つを含む携帯用デバイスを含む、実施態様１記載の度量衡システム（２００）。
［実施態様８］
前記移動式校正デバイス（２２０）が、校正コンポーネント（２２６）を含み、前記校正コンポーネントがその中に前記現地計測装置（２１０）に関連した校正計測補正データを含み、前記移動式校正デバイス（２２０）が、前記未処理データストリーム（３１１）の少なくとも一部を修正して、補正した計測データを生成するようにさらに構成された、実施態様１記載の度量衡システム（２００）。
［実施態様９］
遠隔校正システム（２４０）をさらに含み、前記遠隔校正システム（２４０）は校正コンポーネント（２４６）を含み、前記校正コンポーネントはその中に前記現地計測装置（２１０）に関連した校正計測補正データを含み、前記遠隔校正システム（２４０）は、前記未処理データストリーム（３１１）の少なくとも一部を修正して、補正した計測データを生成するようにさらに構成された、実施態様１記載の度量衡システム（２００）。
［実施態様１０］
現地計測装置（２１０）の校正状態を決定する方法であって、
移動式校正デバイス（２２０）を介して前記現地計測装置（２１０）との双方向通信を確立することと、
予め定められた物理的移動の範囲にわたって前記現地計測装置（２１０）を動かすことと、
前記物理的移動に対応する、未処理データストリーム（３１１）を定義する計測信号を生成することと、
前記未処理データストリーム（３１１）を、前記現地計測装置（２１０）から前記移動式校正デバイス（２２０）内の伝達関数モジュール（２５８）に送信することと、
前記伝達関数モジュール（２５８）内に常駐する第１の補正アルゴリズムからの差異信号を決定することと、
前記現地計測装置（２１０）を校正することと
を含む方法。
［実施態様１１］
前記予め定められた物理的移動の範囲にわたって前記現地計測装置（２１０）を動かすと共に前記現地計測装置（２１０）の実際の物理的計測データを記録することと、
前記現地計測装置（２１０）の前記記録された実際の物理的計測データを前記移動式校正デバイス（２２０）内の校正標準データ（２５６）に手動で入力し、このことにより、前記現地計測装置（２１０）の前記記録された実際の物理的計測データを前記現地計測装置（２１０）に関連した既存の校正標準データにマージし、このことにより、確立した校正標準データを生成することと、
前記未処理データストリーム（３１１）を前記確立した校正標準データと比較することと、
前記未処理データストリーム（３１１）と前記確立した校正標準データの間の差異を表す初期計測差異データストリーム（３１９）を生成することと、
前記初期計測差異データストリームを前記伝達関数モジュール（２５８）に送信することと、
前記初期計測差異データストリームに基づいて初期伝達関数を生成することと
を含む前記第１の補正アルゴリズムを生成することをさらに含む、実施態様１０記載の方法。
［実施態様１２］
前記現地計測装置（２１０）は遠隔作業現場の近くの移動式校正デバイス（２２０）によって、校正することができないということと、
前記現地計測装置（２１０）は遠隔作業現場の近くの移動式校正デバイス（２２０）によって、校正できるということ
のうち１つを決定することをさらに含む、実施態様１０記載の方法。
［実施態様１３］
前記現地計測装置（２１０）を校正できる場所を決定することをさらに含む、実施態様１２記載の方法。
［実施態様１４］
前記現地計測装置（２１０）が前記遠隔作業現場の近くで前記移動式校正デバイス（２２０）により校正することができないと決定することは、前記補正アルゴリズムが前記現地計測装置（２１０）を校正するように構成されないと決定することを含む、実施態様１１記載の方法。
［実施態様１５］
前記現地計測装置（２１０）が前記遠隔作業現場の近くで校正されることができない、という表示をユーザに提供することをさらに含む、実施態様１２記載の方法。
［実施態様１６］
表示を提供することが、視覚アラートおよび音声アラートの１つまたは複数を提供することを含む、実施態様１４記載の方法。
［実施態様１７］
遠隔校正システム（２４０）および前記移動式校正デバイス（２２０）との双方向通信を確立することであって、前記遠隔校正システム（２４０）は、前記第１の補正アルゴリズムおよび少なくとも前記確立した校正標準データの一部を記憶するように構成される、確立することと、
前記現地計測装置（２１０）に関連するデータを、前記移動式校正デバイス（２２０）に前記遠隔校正システム（２４０）からダウンロードすることと、
前記移動式校正デバイス（２２０）から遠隔校正システム（２４０）に前記現地計測装置（２１０）に関連したデータをアップロードすることと
をさらに含む、実施態様１２記載の方法。
［実施態様１８］
前記現地計測装置（２１０）に関連したデータをダウンロードすることが、
前記現地計測装置（２１０）に関連した付加的な校正データをダウンロードすることと、
前記第１の補正アルゴリズムと異なる第２の補正アルゴリズムをダウンロードすることと
のうち少なくとも１つを含む、実施態様１７記載の方法。
［実施態様１９］
前記現地計測装置（２１０）に関連したデータをアップロードすることが、
前記未処理データストリーム（３１１）と、
前記確立した校正データと、
前記第１の補正アルゴリズムと
のうち１つをアップロードすることを含む、実施態様１７記載の方法。
［実施態様２０］
前記現地計測装置（２１０）を校正することは、校正計測補正データ（４２５）を前記現地計測装置（２１０）、前記遠隔校正システム（２４０）および前記移動式校正デバイス（２２０）の少なくとも１つに送信することを含む、実施態様１７記載の方法。
［実施態様２１］
前記第１の補正アルゴリズムを修正することと、
前記確立した校正標準データの少なくとも一部を修正することであって、このことにより更新された校正標準データを生成する、修正することと
のうち１つをさらに含む、実施態様１０記載の方法。
［実施態様２２］
前記移動式校正デバイス（２２０）のユーザに、前記第１の補正アルゴリズムを修正すべきか、または前記確立した校正データの前記少なくとも一部を修正すべきかを選択するための、少なくとも１つの命令を提供することをさらに含む、実施態様２１記載の方法。
［実施態様２３］
前記計測装置（２１０）のユーザに、前記予め定められた物理的計測の範囲にわたって前記現地計測装置（２１０）を動かすための、少なくとも１つの命令を提供することをさらに含む、実施態様１０記載の方法。
［実施態様２４］
前記少なくとも１つの命令を提供することが、前記ユーザが前記現地計測装置（２１０）を使用して、校正されたコンポーネントに対して計測情報を取得し、それによって、前記校正されたコンポーネントの前記計測が、前記校正標準データに関連付けられ、そして、前記現地計測装置（２１０）によって、取られる前記計測が、前記計測したデータと関連付けられる、という手順を提供することを含む、実施態様２３記載の方法。
【符号の説明】
【００８８】
１０５  コンピューティング装置
１１０  メモリ装置
１１５  プロセッサ
１２０  プレゼンテーションインタフェース
１２５  ユーザ
１３０  ユーザ入力インタフェース
１３５  通信インタフェース
２００  度量衡システム
２１０  現地計測装置
２１２  受信コンポーネント
２１４  出力コンポーネント
２２０  移動式校正デバイス
２２２  受信コンポーネント
２２４  決定コンポーネント
２２６  校正コンポーネント
２２７  出力コンポーネント
２２８  ディスプレイコンポーネント
２２９  オーディオコンポーネント
２３０  ネットワーク
２３２  データ記憶装置
２４０  オフサイト校正システム
２４２  受信コンポーネント
２４４  決定コンポーネント
２４６  校正コンポーネント
２４８  出力コンポーネント
２５０  ローカル双方向通信リンク
２５２  外部双方向通信リンク
２５４  外部双方向通信リンク
２５５  外部双方向通信リンク
２５６  校正標準データ
２５８  伝達関数モジュール
２６０  未処理データ記憶モジュール
２７０  現地制御デバイス
２７２  アクチュエータドライブ
２７４  アクチュエータロッド
２７６  リニアゲートデバイス
２７８  機械式カプラ
２８０  流体導管
２８６  移動の全範囲
２８８  移動の全範囲
２９０  磁気センサ
２９２  磁気バンド
２９３  アナログ位置信号
２９４  出力信号ケーブル
２９５  アナログゲージ
２９６  計測器
２９７  ファームウェア
３０９  未処理データ
３１１  未処理出力信号データストリーム
３１７  未処理出力データストリーム
３１９  初期計測差異データストリーム
４１３  計測差異データストリーム
４２５  校正計測補正データ
【図１】
2018503806.tif 000003
【図２】
2018503806.tif 000004
【図３】
2018503806.tif 000005
【図４】
2018503806.tif 000006
【図５】
2018503806.tif 000007
【図６】
2018503806.tif 000008
【国際調査報告】
2018503806.tif 000009
2018503806.tif 000010
2018503806.tif 000011
2018503806.tif 000012